(57)【要約】【課題】手動で便座を昇降させるよう構成された便座装置を提供する。【解決手段】洋風便器１０の後部上面に固定ベースプレート１２がボルト１４及びナット１６によって固定されている。固定ベースプレート１２の側面１２ａに対しリンクアーム２０，２２によって可動ベースプレート２４が昇降可能に連結されている。ケーシング５０内にギヤ４２，４４，４６の列が配置されている。各ギヤ４２，４４，４６は支軸４２ａ，４４ａ，４６ａを介してケーシング５０に枢支されている。ギヤ４６の支軸４６ａに対し手摺５２の後端部が固着されている。手摺５２を略水平とするとリンクアーム２０，２２は後方へ回動し、可動ベースプレート２４が固定ベースプレート１２上に重なり、便座２８が洋風便器１０上に重なる。用便後に立ち上がるときには、手摺５２の前部側に手を掛けて手摺５２を押し下げつつ腰を浮かそうとする。そうすると、手摺５２の前部側が押し下げられリンクアーム２２が上方に回動し、可動ベースプレート２４が上昇する。【選択図】図１
2006020682.tif 000002
【特許請求の範囲】
【請求項１】
昇降機構によって昇降される便座と、該便座に座った着座者の側方に配置される手摺とを有する便座装置において、
該昇降機構は、該手摺を押し下げる力を駆動力として該便座を上昇させる手動式の昇降機構であることを特徴とする便座装置。
【請求項２】
請求項１において、該手摺は、該着座者の側部を前後方向に延在しており、
該手摺の後部側が軸によって支持され、前端側が上下方向回動可能とされており、
前記昇降機構は、該手摺の前端側が押し下げられる力によって前記便座を上昇させるように構成されていることを特徴とする便座装置。
【請求項３】
請求項２において、前記軸は前記手摺に固着されており、
前記昇降機構は、前記手摺の押し下げによる該軸の回転を便座側方のリフト装置に伝達し、該リフト装置によって便座を押し上げるよう構成されていることを特徴とする便座装置。
【請求項４】
請求項３において、該昇降機構は、該軸の回転をギヤ又はベルトを介して該リフト装置に伝達するよう構成されていることを特徴とする便座装置。
【請求項５】
請求項３又は４において、前記リフト装置は、前記軸から伝達される回転力によって回動するアームを備えており、該アームの回動によって便座が押し上げられることを特徴とする便座装置。
【請求項６】
請求項１ないし５のいずれか１項において、前記便座はベースプレートに取り付けられており、該ベースプレートが前記昇降機構によって昇降するよう構成されていることを特徴とする便座装置。
【発明の詳細な説明】
【技術分野】
【０００１】
本発明は、トイレの洋風便器に設置される便座装置に係り、特に便座が昇降する昇降式便座装置に関するものである。
【背景技術】
【０００２】
洋風便器上の便座に座ったり、立ったりしたときの動作を楽に行うことができるようにするために、便座を昇降式としたり、手摺を設けたりすることが行われている（特開平９−９４１８５号公報、特開平９−１０８１４３号公報）。
【特許文献１】特開平９−９４１８５号公報
【特許文献２】特開平９−１０８１４３号公報
【発明の開示】
【発明が解決しようとする課題】
【０００３】
上記従来の昇降式の便座装置は、モータによって便座を昇降させるよう構成されている。このような昇降機構は大掛りでコスト高である。
【０００４】
本発明は、手動で便座を昇降させるよう構成された便座装置を提供することを目的とする。
【課題を解決するための手段】
【０００５】
本発明（請求項１）の便座装置は、昇降機構によって昇降される便座と、該便座に座った着座者の側方に配置される手摺とを有する便座装置において、該昇降機構は、該手摺を押し下げる力を駆動力として該便座を上昇させる手動式の昇降機構であることを特徴とするものである。
【０００６】
請求項２の便座装置は、請求項１において、該手摺は、該着座者の側部を前後方向に延在しており、該手摺の後部側が軸によって支持され、前端側が上下方向回動可能とされており、前記昇降機構は、該手摺の前端側が押し下げられる力によって前記便座を上昇させるように構成されていることを特徴とするものである。
【０００７】
請求項３の便座装置は、請求項２において、前記軸は前記手摺に固着されており、前記昇降機構は、前記手摺の押し下げによる該軸の回転を便座側方のリフト装置に伝達し、該リフト装置によって便座を押し上げるよう構成されていることを特徴とするものである。
【０００８】
請求項４の便座装置は、請求項３において、該昇降機構は、該軸の回転をギヤ又はベルトを介して該リフト装置に伝達するよう構成されていることを特徴とするものである。
【０００９】
請求項５の便座装置は、請求項３又は４において、前記リフト装置は、前記軸から伝達される回転力によって回動するアームを備えており、該アームの回動によって便座が押し上げられることを特徴とするものである。
【００１０】
請求項６の便座装置は、請求項１ないし５のいずれか１項において、前記便座はベースプレートに取り付けられており、該ベースプレートが前記昇降機構によって昇降するよう構成されていることを特徴とするものである。
【発明の効果】
【００１１】
本発明の便座装置にあっては、昇降式の便座と手摺とが連動しており、手摺を押し下げると便座が上昇する。従って、便座に座っていた着座者が立ち上がろうとして手で手摺を押し下げつつ腰を浮かせようとすると、便座が腰を押し上げるようになり、起立動作が補助され、楽に立ち上がることができる。
【００１２】
この便座装置は、モータ等の電動装置が不要であり、構成が簡易で低コストである。また、トイレルームにコンセント等の電源設備が無くても使用することができる。
【００１３】
請求項２の便座装置にあっては、手摺の前端側を押し下げることにより手摺が軸回りに回転する。この手摺の長さをある程度長く設定することにより、十分な回転力（トルク）を得ることができる。
【００１４】
請求項３の便座装置にあっては、手摺を押し下げるとリフト装置が動作し、便座が押し上げられる。
【００１５】
請求項４の便座装置によると、この軸の回転力（トルク）がギヤ又はベルトを介して確実にリフト装置に伝達される。
【００１６】
請求項５の通り、リフト装置としては、軸から伝達される回転力によって回動するアームを備えており、該アームの回動によって便座を押し上げるよう構成したものが簡便で好適である。
【００１７】
請求項６の便座装置にあっては、便座が取り付けられたベースプレートを昇降させるようにしており、便座それ自体には昇降のための部品を設けることは不要である。このため、便座として例えば市販の各種タイプのものを採用することが可能となる。
【発明を実施するための最良の形態】
【００１８】
以下、図面を参照して本発明についてさらに詳細に説明する。
【００１９】
第１図は実施の形態に係る便座装置を備えた洋風便器設備の斜視図、第２図はこの便座装置の分解斜視図、第３図は可動ベースプレート及び固定ベースプレートの斜視図、第４図は第３図のIV−IV線断面図、第５図は便座を下降させた状態の洋風便器設備の側面図、第６図は便座を上昇させた状態の洋風便器設備の側面図である。第７図は別の実施の形態に係る便座装置を備えた洋風便器設備の斜視図である。
【００２０】
洋風便器１０の後部上面に固定ベースプレート１２がボルト１４及びナット１６によって固定されている。このボルト１４は、固定ベースプレート１２のボルト挿通孔１２ｃ及び洋風便器１０のボルト挿通孔１８に挿通されている。
【００２１】
固定ベースプレート１２は、洋風便器１０に重なる主板面１２ｂの左右両側縁から側面１２ａが垂設されたコ字形状のものである。
【００２２】
この固定ベースプレート１２の側面１２ａに対しリンクアーム２０，２２によって可動ベースプレート２４が昇降可能に連結されている。
【００２３】
この可動ベースプレート２４は、該固定ベースプレート１２の主板面１２ｂに上側から重なり得る主板面２４ｂと、該主板面２４ｂの左右両側縁から垂設された側面２４ａとを有したコ字形状のものである。
【００２４】
該主板面２４ｂの後部側に開口２４ｃが設けられている。該開口２４ｃに挿通されたボルト（図示略）によって１対のヒンジ部材２６が該可動ベースプレート２４に固定されている。
【００２５】
このヒンジ部材２６に対し便座２８が起倒方向回動自在に取り付けられている。前記リンクアーム２０，２２は、それぞれ洋風便器１０の左右両側に１対ずつ設けられている。洋風便器１０の前方側のリンクアーム２０は後方側のリンクアーム２２よりも長さが短くなっており、従って、リンクアーム２０，２２が上方に回動した際には、可動ベースプレート２４は第６図の通り前傾姿勢をとる。
【００２６】
前方側のリンクアーム２０は軸ピン３０，３２によってベースプレート１２，２４の側面１２ａ，２４ａに回動自在に連結されている。なお、軸ピン３２は該側面２４ａに前後方向に延設された長孔３４に挿通されている。可動ベースプレート２４が昇降する際には、軸ピン３２は該長孔３４内を前後方向にスライドする。
【００２７】
リンクアーム２２はベースプレート１２，２４の側面１２ａ，２４ａに対しそれぞれ軸ピン３６，３８によって回動自在に連結されている。
【００２８】
第３，４図の通り、リンクアーム２０，２２は側面２４ａの内側かつ側面１２ａの外側に配置されている。可動ベースプレート２４が固定ベースプレート１２上に重なるときには、側面２４ａが側面１２ａの外側に対峙し、両者の間にリンクアーム２０，２２が入り込む。
【００２９】
第４図の通り、軸ピン３６は側面１２ａの外面から所定長さ突出しており、この突出方向先端側にギヤ４０が固着されている。ギヤ４０とリンクアーム２２との間には、可動ベースプレート２４の側面２４ａが入り込み得る間隔があいている。
【００３０】
固定ベースプレート１２に対しケーシング５０が固定されている。このケーシング５０は、側面１２ａの外面側を覆うと共に、洋風便器１０の後部から上方に起立している。
【００３１】
このケーシング５０内にギヤ４２，４４，４６の列が配置されている。各ギヤ４２，４４，４６は支軸４２ａ，４４ａ，４６ａを介してケーシング５０に枢支されている。なお、支軸４２ａはケーシング５０の外側面にのみ支持されており、第５図の如くギヤ４２と側面１２ａとの間にリンクアーム２２が入り込み得るようになっている。
【００３２】
ギヤ４０に対しギヤ４２が噛合し、ギヤ４２に対しギヤ４４が噛合し、ギヤ４４に対しギヤ４６が噛合している。
【００３３】
最上段のギヤ４６の支軸４６ａはケーシング５０から側外方に突出し、この支軸４６ａに対し手摺５２の後端部が固着されている。手摺５２は前方へ延在しており、その前部側の上面には軟質パッド５２ａが設けられている。
【００３４】
このように構成された便座装置を有する洋風便器設備にあっては、第５図の通り手摺５２を略水平とするとリンクアーム２０，２２は後方へ回動し、可動ベースプレート２４が固定ベースプレート１２上に重なり、便座２８が洋風便器１０上に重なる。この状態で便座２８に座って用便を行う。
【００３５】
この際、手摺５２が洋風便器１０の左右両側に配置されているので、着座時に手摺５２に手を掛けることにより身体を安定させることができる。
【００３６】
用便後に立ち上がるときには、手摺５２の前部側に手を掛けて手摺５２を押し下げつつ腰を浮かそうとする。そうすると、手摺５２の前部側が押し下げられ（第１図矢印Ｄ）、第６図の通り、ギヤ４６，４４，４２，４０が回動し、リンクアーム２２が上方に回動し、可動ベースプレート２４が上昇する（第１図矢印Ｕ）。これにより、着座者の腰部が便座２８によって押し上げられるため、楽に起立することができる。この実施の形態では、便座２８は前傾しつつ上昇するので、着座者は極めて楽に立ち上がることができる。
【００３７】
なお、便座２８に着座するときにも、手摺５２を押し下げて第６図の通り便座２８を上昇させておくと、脚力の弱い人でも便座２８に楽に座ることができる。ただし、手摺５２を第５図の如く、略水平としておいて便座２８に着座してもよい。
【００３８】
上記実施の形態ではギヤ４０，４２，４４，４６を介して手摺５２の回転力をリンクアーム２２に伝達しているが、第７図のようにワイヤ６０によって伝達するようにしてもよい。
【００３９】
第７図では、支軸４６ａにプーリ５６が固着されており、軸ピン３６にプーリ５８が固着されている。これらのプーリ５６，５８にベルト６０が掛け渡されている。符号６２はガイドプーリを示す。第７図の実施の形態のその他の構成は上記実施の形態と同一である。
【００４０】
なお、プーリ５６，５８及びベルト６０は、滑りが生じないように歯付きプーリ及び歯付きベルトとされている。
【００４１】
第７図の状態から手摺５２を押し下げると、プーリ５６，５８がそれぞれ反時計方向に回動し、可動ベースプレート２４が押し上げられる。
【００４２】
上記実施の形態はいずれも本発明の一例であり、本発明は上記以外の形態をもとりうる。
【００４３】
本発明では、手摺５２が第６図の状態よりも下方へ回動することを阻止するためのストッパを設けてもよい。
【図面の簡単な説明】
【００４４】
【図１】実施の形態に係る便座装置を備えた洋風便器設備の斜視図である。
【図２】図１の便座装置の分解斜視図である。
【図３】可動ベースプレート及び固定ベースプレートの斜視図である。
【図４】図３のIV−IV線断面図である。
【図５】便座を下降させた状態の洋風便器設備の側面図である。
【図６】便座を上昇させた状態の洋風便器設備の側面図である。
【図７】別の実施の形態に係る便座装置を備えた洋風便器設備の斜視図である。
【符号の説明】
【００４５】
１０  洋風便器
１２  固定ベースプレート
１４  可動ベースプレート
２０，２２  リンクアーム
４０，４２，４４，４６  ギヤ
５０  ケーシング
５２  手摺
５６，５８  プーリ
６０  ベルト
６２  ガイドプーリ
【図１】
2006020682.tif 000003
【図２】
2006020682.tif 000004
【図３】
2006020682.tif 000005
【図４】
2006020682.tif 000006
【図５】
2006020682.tif 000007
【図６】
2006020682.tif 000008
【図７】
2006020682.tif 000009